(57)【要約】  モバイルユーザの異種メディア間ハンドオーバ（ＭＩＨ）に関係する下位層リンクの挙動を制御するための方法は、異種無線アクセス技術（ＲＡＴ）ネットワークに一組（グループ、多数、複数）の下位層リンク上でアクションを実行することを要求する、ＭＩＨユーザエンティティからＭＩＨ機能（ＭＩＨＦ）へのＭＩＨリンクアクション要求プリミティブ（例えば、ＭＩＨ  ＳＷＩＴＣＨ、ＭＩＨ  ＳＣＡＮ）を送信することを含む。このプリミティブは、要求されたアクションおよび実行時間遅延を示すパラメータを備える。ＩＥＥＥ８０２．２１規格に従い要求されたアクションに対する実行の試行結果を伝えるために確認プリミティブがＭＩＨユーザエンティティに送り返される。（結果コードを含む）。
2010504066.tif 000002
【特許請求の範囲】
【請求項１】
モバイルユーザの異種メディア間ハンドオーバ（ＭＩＨ）に関係する下位層リンクの挙動を制御するための方法であって、
異種無線アクセス技術（ＲＡＴ）ネットワークに一組の下位層リンク上でアクションを実行することを要求する、ＭＩＨユーザエンティティからＭＩＨ機能（ＭＩＨＦ）へのＭＩＨリンクアクション要求プリミティブを送信することを含むことを特徴とする方法。
【請求項２】
前記ＭＩＨリンクアクション要求プリミティブは、前記ＭＩＨユーザエンティティにより要求された前記アクションを識別するリンクアクションパラメータを備えることを特徴とする請求項１に記載の方法。
【請求項３】
前記下位層リンクは、シャットダウンすること、アクティブ状態を保つこと、スキャンを実行すること、または起動してアクティブ状態になりスタンバイモードを保つことのうちの少なくとも１つによる動作を行うように指令されることを特徴とする請求項２に記載の方法。
【請求項４】
前記リンクアクションパラメータは、
リンク切断と、
リンク低電力消費調節と、
リンク電源切断と、
リンク無アクションと、
前記リンクが効率的に再接続を行えるように前記リソースを保持しながら前記リンクを切断するリンクリソース保持アクションと、
データ転送要求と、
バイキャスティング要求と、
ハンドオーバキャンセルと、
電源投入と、
スタンバイアクション維持と
のうちの少なくとも１つを示すことを特徴とする請求項２に記載の方法。
【請求項５】
前記ＭＩＨリンクアクション要求プリミティブは、前記要求されたアクションが実行されるまでに経過する時間の長さを示す実行時間パラメータを備えることを特徴とする請求項１に記載の方法。
【請求項６】
前記ＭＩＨリンクアクション要求プリミティブは、前記ＭＩＨリンクアクション要求プリミティブを受け取るべきＭＩＨ機能を識別する宛先識別子パラメータを備えることを特徴とする請求項１に記載の方法。
【請求項７】
前記ＭＩＨユーザエンティティは、前記モバイルユーザの上位層機能を制御し、前記ＭＩＨ機能は、前記モバイルユーザのローカル機能であることを特徴とする請求項１に記載の方法。
【請求項８】
前記下位層リンク上で実行されるべき前記アクションを実行するために前記ＭＩＨ機能がリンクアクション要求プリミティブを下位層エンティティに送信することをさらに含むことを特徴とする請求項１に記載の方法。
【請求項９】
前記リンクアクション要求プリミティブは、前記ＭＩＨユーザエンティティにより要求された前記アクションを指定するリンクアクションパラメータを備えることを特徴とする請求項８に記載の方法。
【請求項１０】
前記リンクアクション要求プリミティブは、前記要求されたアクションが実行されるまでに経過する時間の長さを示す実行時間パラメータを備えることを特徴とする請求項８に記載の方法。
【請求項１１】
前記ＭＩＨリンクアクション要求プリミティブは、前記要求されたアクションが実行される前記下位層リンクを識別するためのリンク識別子パラメータをさらに備えることを特徴とする請求項１に記載の方法。
【請求項１２】
前記ＭＩＨリンクアクション要求プリミティブで指定されたアクションは、前記リンク接続に関係する標準化機構により指定された手順に従って実行されることを特徴とする請求項１に記載の方法。
【請求項１３】
ＭＩＨリンクアクション確認プリミティブを送信し、前記下位層リンク上で実行された前記要求されたアクションの結果の表示を提供することをさらに含むことを特徴とする請求項１に記載の方法。
【請求項１４】
前記ＭＩＨリンクアクション確認プリミティブは、リンクアクション要求プリミティブで指定されたあらゆるアクションの結果を示す結果コードパラメータを備えることを特徴とする請求項１３に記載の方法。
【請求項１５】
前記結果コードパラメータは、成功、失敗、および拒否のうちの１つを含む表示を提供することを特徴とする請求項１３に記載の方法。
【請求項１６】
前記失敗表示は、使用不可能なリソースまたは使用中のリソースであることを示す表示をさらに含むことを特徴とする請求項１５に記載の方法。
【請求項１７】
前記ＭＩＨリンクアクション確認プリミティブは、前記リンクに対する検出されたＰｏＡを識別するスキャン応答セットパラメータを備えることを特徴とする請求項１３に記載の方法。
【請求項１８】
無線送信／受信ユニット（ＷＴＲＵ）であって、
異種無線アクセス技術（ＲＡＴ）ネットワークに一組の下位層リンク上でアクションを要求するＭＩＨリンクアクション要求プリミティブを送信するように構成された異種メディア間ハンドオーバ（ＭＩＨ）ユーザエンティティと、
アクションの要求をＭＩＨユーザから下位層に転送するように構成されている異種メディア間ハンドオーバ機能（ＭＩＨ機能）と
を備えることを特徴とする無線送信／受信ユニット。
【請求項１９】
前記ＭＩＨリンクアクション要求プリミティブは、前記ＭＩＨユーザエンティティにより要求された前記アクションを識別するリンクアクションパラメータを備えることを特徴とする請求項１８に記載の無線送信／受信ユニット。
【請求項２０】
前記一組の下位層リンクは、シャットダウンすること、アクティブ状態を保つこと、スキャンを実行すること、または起動してアクティブ状態になりスタンバイモードを保つことのうちの少なくとも１つで動作を行うように指令されることを特徴とする請求項１９に記載の無線送信／受信ユニット。
【請求項２１】
前記リンクアクションパラメータは、
リンク切断と、
リンク低電力消費調節と、
リンク電源切断と、
リンク無アクションと、
前記リンクが効率的に再接続を行えるように前記リソースを保持しながら前記リンクを切断するリンクリソース保持アクションと、
データ転送要求と、
バイキャスティング要求と、
ハンドオーバキャンセルと、
電源投入と、
スタンバイアクション維持と
のうちの少なくとも１つを示すことを特徴とする請求項１９に記載の無線送信／受信ユニット。
【請求項２２】
前記ＭＩＨリンクアクション要求プリミティブは、前記要求されたアクションが実行されるまでに経過する時間の長さを示す実行時間パラメータを備えることを特徴とする請求項１８に記載の無線送信／受信ユニット。
【請求項２３】
前記ＭＩＨリンクアクション要求プリミティブは、前記ＭＩＨリンクアクション要求プリミティブを受け取るべきＭＩＨ機能を識別する宛先識別子パラメータを備えることを特徴とする請求項１８に記載の無線送信／受信ユニット。
【請求項２４】
前記ＭＩＨユーザエンティティは、前記モバイルユーザの上位層機能を制御し、前記ＭＩＨ機能は、前記モバイルユーザのローカル機能であることを特徴とする請求項１８に記載の無線送信／受信ユニット。
【請求項２５】
前記下位層リンク上で実行されるべき前記アクションを実行するために前記ＭＩＨ機能がリンクアクション要求プリミティブを下位層エンティティに送信することをさらに含むことを特徴とする請求項１８に記載の無線送信／受信ユニット。
【請求項２６】
前記リンクアクション要求プリミティブは、前記ＭＩＨユーザエンティティにより要求された前記アクションを指定するリンクアクションパラメータを備えることを特徴とする請求項２５に記載の無線送信／受信ユニット。
【請求項２７】
前記リンクアクション要求プリミティブは、前記要求されたアクションが実行されるまでに経過する時間の長さを示す実行時間パラメータを備えることを特徴とする請求項２５に記載の無線送信／受信ユニット。
【請求項２８】
前記ＭＩＨリンクアクション要求プリミティブは、前記要求されたアクションが実行される前記下位層リンクを識別するためのリンク識別子パラメータをさらに備えることを特徴とする請求項１８に記載の無線送信／受信ユニット。
【請求項２９】
前記ＭＩＨリンクアクション要求プリミティブで指定されたアクションは、前記リンク接続に関係する標準化機構により指定された手順に従って実行されることを特徴とする請求項１８に記載の無線送信／受信ユニット。
【請求項３０】
ＭＩＨリンクアクション確認プリミティブを送信し、前記下位層リンク上で実行された前記要求されたアクションの結果の表示を提供することをさらに含むことを特徴とする請求項１８に記載の無線送信／受信ユニット。
【請求項３１】
前記ＭＩＨリンクアクション確認プリミティブは、リンクアクション要求プリミティブで指定されたあらゆるアクションの結果を示す結果コードパラメータを備えることを特徴とする請求項３０に記載の無線送信／受信ユニット。
【請求項３２】
前記結果コードパラメータは、成功、失敗、および拒否のうちの１つを含む表示を提供することを特徴とする請求項３０に記載の無線送信／受信ユニット。
【請求項３３】
前記失敗表示は、さらに、使用不可能なリソースまたは使用中のリソースであることを示す表示を含むことを特徴とする請求項３２に記載の無線送信／受信ユニット。
【請求項３４】
前記ＭＩＨリンクアクション確認プリミティブは、前記リンクに対する検出されたＰｏＡを識別するスキャン応答セットパラメータを備えることを特徴とする請求項３０に記載の無線送信／受信ユニット。
【請求項３５】
請求項１８に記載の前記無線送信／受信ユニットとして構成されることを特徴とするモバイルユーザ。
【請求項３６】
請求項１８に記載の前記無線送信／受信ユニットとして構成されることを特徴とするモバイル・ノード。
【発明の詳細な説明】
【技術分野】
【０００１】
本開示は、通信システムにおけるモバイルユーザのハンドオーバに関する。特に、異種メディア間ハンドオーバのための複数のリンク層リソースを処理する方法が開示されている。
【背景技術】
【０００２】
ネットワークとモバイル・ノードとの間のサポートメッセージ（つまり、ＩＥＥＥ８０２．２１の情報、イベント、およびコマンド）の交換を可能にし、シームレスな異種メディア間ハンドオーバ（ＭＩＨ：media independent handover）を実現するためのフレームワークを提供するＩＥＥＥ８０２．２１規格案が策定中である。ＩＥＥＥ８０２．２１グループは、システム間ハンドオーバの実行および管理を補助するメカニズムおよび手順を作成する。
【０００３】
異種メディア間ハンドオーバ機能（ＭＩＨ機能）は、異種アクセスネットワーク上でのハンドオーバを実行しやすくし、シームレスハンドオーバ実行時のＭＩＨユーザ（例えば、モバイルユーザ、モバイル・ノード）における処理効率を改善するため、ＩＥＥＥ８０２．２１により定められたフレームワークである。ＭＩＨユーザは、ＭＩＨ機能からの入力に基づいてハンドオーバに関する決定を下す。ＭＩＨ機能は、ＭＩＨサービスの機能を実装したものであり、ＭＩＨユーザとネットワークの両方に実装される論理エンティティとして取り扱われる。
【０００４】
図１は、ＭＩＨ機能エンティティを使用するＭＩＨ対応ノードとネットワークとの間のレイヤリンク接続のブロック図である。ＭＩＨ機能１０２、３ＧＰＰ／３ＧＰＰ２ネットワーク用の下位層インターフェース１０３、ＩＥＥＥ８０２ネットワーク用の下位層インターフェースエンティティ１０４、および１つまたは複数のＭＩＨユーザ１０５で構成されるモバイル・ノード１０１が図に示されている。
【０００５】
ＭＩＨ機能１０２は、ＭＩＨローカルインターフェース１１５およびＭＩＨメッセージトランスポート１１２、１１３を使用して異種アクセスネットワーク（３ＧＰＰ／８０２）に結合される。１つまたは複数のＭＩＨユーザ１０５は、ＭＩＨローカルインターフェース１１１を介してモバイル・ノード１０１のＭＩＨ機能１０２と通信する。ＭＩＨユーザは、ＩＥＥＥ８０２．２１では、ＭＩＨ機能により提供されるサービスを使用する１つのエンティティとして定義され、ＭＩＨユーザは、典型的には、ポリシー駆動型機能エンティティであり、メディア依存または非依存サービスに対する下位層を操作するためにＭＩＨ機能を呼び出す。Ｌ３層にある、上位層トランスポート接続１２０を使用することで、ＭＩＨ機能１０２は、８０２ネットワーク１３１および３ＧＰＰネットワーク１４１のリモートのＭＩＨ機能１３２および１４２とそれぞれ通信することができる。８０２ネットワーク１３１に接続されると、モバイル・ノード１０１は、代替としてＬ２層トランスポートインターフェース１１２および１１３を使用して、機能エンティティ８０２のインターフェース１０４と１３４との間の管理およびデータ転送を行うことができる。
【０００６】
ＭＩＨ機能は、単一のメディア非依存インターフェースを通じてＭＩＨユーザにサービスを提供するが、このインターフェースは、下位層のサービスをそのすぐ上の層で利用できるようにするプロトコルスタックのポイントである、ＭＩＨサービス・アクセス・ポイント（ＭＩＨ−ＳＡＰ）である。ＭＩＨ機能は、様々なメディア依存インターフェース（メディア特有のＳＡＰ）を通じて下位層（つまり、リンク層）からサービスを受ける。ＭＩＨ機能により処理されるタイプのサービスとして、コマンド・サービスがあり、このサービスは大きくリンクコマンド（Link Command）とＭＩＨコマンド（MIH Command）とに分けられる。図２は、上位層Ｌ３以上の層で動作する、ローカルの１つまたは複数のＭＩＨユーザ２０３からＭＩＨコマンド２１２を受け取る、ＭＩＨ機能２０２を備えるモバイル・ノード２０１のプロトコルスタックのブロック図を示している。リンクコマンド２１１は、Ｌ２以下にあり、例えば、ＭＡＣ、無線リソース管理、および物理層（ＰＨＹ）を含む、下位層２０４に向けて、ＭＩＨ機能２０２により送られる。リンクコマンド２１１は、ＭＩＨ機能２０２を送出元とするが、これらのコマンドは、ＭＩＨユーザの代わりに実行される。ＭＩＨコマンド２１２は、ＭＩＨユーザにより生成されて、ＭＩＨ機能２０２に（例えば、上位層モビリティプロトコルからＭＩＨ機能に、またはポリシーエンジンからＭＩＨ機能に）送られる。
【０００７】
リンクコマンド２１１およびＭＩＨコマンド２１２は、サービスの提供において上位層ユーザと現在の層との間で実行される情報転送を記述するためＩＥＥＥ８０２．２１において概念的抽象化として定義されている、サービスプリミティブを使用して実行される。それぞれのサービスプリミティブは、１つまたは複数の情報パラメータを伝達する。図２に示されているように、ＭＩＨ機能２０２は、ＭＩＨユーザ２０３から、ＭＩＨコマンド要求２２２などのＭＩＨプリミティブを受け取り、ＭＩＨユーザ２０３からの要求に応じるためにリンクコマンド要求２２１などの１つまたは複数のリンク層プリミティブをトリガすべきかどうかを決定する。同様に、ＭＩＨ機能２０２は、リンクコマンド確認２３１として示されている、下位リンク層２０４から送られてくる１つまたは複数のリンク層プリミティブを受け取った後、ＭＩＨコマンド確認２３２として示されている、ＭＩＨユーザ２０３へ送られるＭＩＨプリミティブを生成することができる。このような確認プリミティブは、リンクコマンド実行２４１の結果を報告する。
【０００８】
ＩＥＥＥ８０２．２１リンク層プリミティブは、他のリンク層技術によりサポートされる既存のプリミティブに、直接的に、または間接的に、マッピングされうる。この点で、ＩＥＥＥ８０２．２１で説明されているリンク層プリミティブは、特定のリンク層技術から予想されるものの「青写真」として使用され、したがって、これらの「青写真（blue print）」プリミティブとＩＥＥＥ８０２．１１、８０２．１６、さらには３ＧＰＰ／３ＧＰＰ２などの関連するリンク層技術の範囲内にある１つまたは複数の既存のプリミティブとの間のマッピングを確立できる。
【０００９】
コマンド・サービス、特にリンク層リソースの操作を可能にするコマンドに関して、ＭＩＨユーザから送られてくるハンドオーバコマンドおよびＭＩＨ機能によりトリガされるリンクコマンドのマッピングを実行する方法が必要である。ＩＥＥＥ８０２．２１の初期規格案では、既存のリンク層接続でアクションを指令するコマンドを規定している。これらのアクションは、１つのリンク（つまり、現在のリンク）にのみ適用可能であり、コマンドは、ＭＩＨユーザからＭＩＨ機能にしか流れない。このコマンドを受け取った後にＭＩＨ機能によりある種のアクションを実行することが可能であるという表示（indication）もあるが、そのような手順をサポートする標準化されたプリミティブはない。したがって、これらの手順をどのように実行すべきかについては今のところ未定義である。
【００１０】
ＩＥＥＥ８０２．２１の以前の規格案では、サービスの流れを一方のリンク層接続から他方のリンク層接続に切り替える可能性のあるＭＩＨユーザからＭＩＨ機能への多数のＭＩＨコマンドをサポートしている。例えば、電源を入れる、電源を切る、送信および／または受信モードを変更するなどの他のリンク特有のタスクを指令するＭＩＨメッセージがある。リンク層アクションをトリガできるＭＩＨプリミティブがいくつかあるけれども、他のコマンド、イベント、および情報サービスの場合と同様に、ＩＥＥＥ８０２．２１リンク層の対応物、つまり「青写真」プリミティブはない。
【００１１】
ＩＥＥＥ８０２．２１の以前の規格案（例えば、バージョンＤ０１．０９）では、リンク層接続に影響を及ぼすＭＩＨコマンドを受け取ったときにＭＩＨ機能により使用されるリンクコマンドを参照している。しかし、これらのリンク層コマンドは未定義のままである。それに加えて、これらの既存のＭＩＨコマンドでは、アクションは一度に１つのリンクでしか実行できず、実行されるハンドオーバに対し確立される必要のある新しいリンク層接続でどのアクションが実行されるべきかについて明らかでない。
【００１２】
バージョンＤ０１．０９の後のＩＥＥＥ８０２．２１規格案では、リンクアクションと呼ばれるプリミティブには、リンクのスキャンまたは送信／受信の有効化／無効化などのアクションを実行することをリンク層に指示する手段がない。それに加えて、「旧リンク」から「新規リンク」へのハンドオーバのシナリオにおいて旧リンク上で実行すべきリンクアクションを特に指令するためのＭＩＨスイッチと呼ばれる、ＭＩＨプリミティブが存在する。しかし、このＭＩＨスイッチプリミティブでは、新規リンク上で実行すべきアクションを指定することはできない。また、このプリミティブは、２つのリンクのやり取りのみに限定されるため、やり取りするリンクの数が２を超えざるをえない場合には問題になる。
【発明の概要】
【００１３】
モバイルユーザが一度に複数の下位層リンクに対しアクションを指令することを可能にする異種メディア間ハンドオーバ（ＭＩＨ）のメカニズムが導入されるが、ただし、それらの下位層は、媒体アクセス制御（ＭＡＣ）、無線リソース管理、および物理（ＰＨＹ）層を含む。モバイルユーザは、１つまたは複数のＭＩＨユーザ機能エンティティ、ＭＩＨ機能、および異種ネットワークインターフェースを備える。それぞれのアクションコマンドおよび下位層リンクは、３ＧＰＰ／３ＧＰＰ２およびＩＥＥＥ８０２ネットワークなどの異種無線アクセス技術（ＲＡＴ）ネットワークにおいて利用可能なサービスに関係する。ＭＩＨメカニズムを利用することで、トラフィックを発生させることなくネットワークへの接続状態を保つようにリンクの指令を行うことができ、また要求されたアクションの特定の実行回数の設定をリンク層接続に対し有効にすることができる。
【図面の簡単な説明】
【００１４】
本発明の詳細は、例えば好ましい一実施形態の以下の説明から理解することができ、また付属の図面に関して理解すべきである。
【００１５】
【図１】従来技術に係る異種ネットワークのＭＩＨ機能とのインターフェースを備えるモバイル・ノードの異種メディア間ハンドオーバ機能（ＭＩＨ機能）のブロック図である。
【図２】従来技術に係るローカルエンティティのプロトコルスタックに対するＭＩＨコマンドおよびリンクコマンドのコマンド・サービスの流れを示すシグナリング図である。
【図３】特定のリンク層接続でアクションを要求するためのサービスプリミティブのシグナリング図である。
【図４】ＭＩＨユーザに係るアクションを要求するためのサービスプリミティブのシグナリング図である。
【発明を実施するための形態】
【００１６】
本明細書では、「異種メディア間ハンドオーバ（ＭＩＨ）ユーザ」という用語は、限定はしないが、無線送信／受信ユニット（ＷＴＲＵ）、ユーザ装置（ＵＥ）、モバイル・ノード、移動局、固定式または移動式加入者ユニット、ページャー、携帯電話、ＰＤＡ、コンピュータ、または無線環境で動作することができる任意の他のタイプのユーザデバイスを含む。本明細書では、「基地局」という用語は、限定はしないが、ノードＢ、サイトコントローラ、アクセスポイント（ＡＰ）、または無線環境で動作することができる任意の他のタイプのインターフェースデバイスを含む。
【００１７】
第１の実施形態では、複数のリンク層に向けられたＭＩＨ機能からのリンク層（つまり、下位層）接続の切り替えを特徴付けるサービスプリミティブが導入される。図３は、リンクアクション要求プリミティブ３０１として表されているサービスプリミティブのシグナリング図である。ＭＩＨ機能３０２は、ハンドオーバオペレーションを目的としてリンク層リソースの最適な処理を可能にする下位層３０３リンクに対するアクションを要求する。リンク層は、アクティブ状態を保ち、シャットダウンするか、または起動してアクティブ状態になり、スタンバイモードを保つように命令されることができる。
【００１８】
図３に示されているように、リンクアクション要求プリミティブ３０１は、ｎ個のリンクに対するパラメータセットを備え、それぞれのパラメータはｎ＝（１からＮ）として特定のリンク層接続リンク（１）からリンク（Ｎ）に関連付けられる。リンクアクション要求プリミティブ３０１のパラメータは、限定はしないが、リンク識別子（ｎ）３１１、リンクアクション（ｎ）３１２、および実行時間（ｎ）３１３を含む。
【００１９】
リンクアクション要求プリミティブ３０１のパラメータで識別されるように、１つまたは複数のリンク接続について１つまたは複数の使用可能なアクションを要求することができる。リンク識別子（ｎ）３１１パラメータは、要求されたリンクアクションの実行対象となるリンク（ｎ）を示す。リンクアクション（ｎ）３１２パラメータは、ハンドオーバ実行時のリンク接続に対するアクションを指定する。実行時間（ｎ）３１３パラメータは、関連付けられているリンクアクションを実行するまでに経過する時間の長さ（つまり、時間遅延）である。
【００２０】
表１は、定義され、生成されたリンクアクションプリミティブ３０１に従って、ＭＩＨユーザからの要求に応じてＭＩＨ機能３０２がリンク層接続上で実行可能なアクションをまとめたものである。
【００２１】
【表１】
2010504066.tif 000003
【００２２】
ＭＩＨ機能３０２は、ＭＩＨユーザから要求があるとリンクアクション要求プリミティブ３０１を生成して、定義済みリンク層接続上でアクションを実行する。リンクアクション要求プリミティブ３０１を受け取った後、現在のリンクまたはリンク層接続をサポートするリンク層技術は、該当する標準化機構において指定された手順に従って、また実行時間（ｎ）３１３パラメータにより指定された時間に、リンクアクション（ｎ）３１２パラメータにより指定されたアクションを実行する。
【００２３】
図３は、現在のリンク層接続上で実行されたアクションの結果を示す、下位層３０３（つまり、リンク層）により使用されるリンクアクション確認プリミティブ３３１を示している。このサービスプリミティブは、結果コード３４１パラメータおよびオプションのスキャン応答セット３４２パラメータを備える。このプリミティブは、リンク層接続上で実行されたアクションの結果を伝達するために、下位層３０３で生成される。このプリミティブ３３１を受け取った後、ＭＩＨ機能３０２は、現在のリンク層接続上で実行されたアクションをＭＩＨユーザに通知する場合に使用する必要のある該当するＭＩＨコマンドを決定する。リンクアクション要求３０１により指定されたアクションが、タイプLINK_SCANであった場合、オプションのスキャン応答セット３４２パラメータフィールドは、リンクアクション確認応答３３１に含まれる。
【００２４】
表２および表２Ａは、リンクアクション確認プリミティブ３３１に対して下位層３０３により使用されるパラメータをまとめたものである。
【００２５】
【表２】
2010504066.tif 000004
【００２６】
【表３】
2010504066.tif 000005
【００２７】
図４は、ＭＩＨアクション要求プリミティブ４０１のシグナリング図であり、ｎ個のリンクに対するパラメータセットを含み、それぞれのパラメータはｎ＝（１からＮ）として特定のリンク層接続リンク（１）からリンク（Ｎ）に関連付けられている。ＭＩＨリンクアクションプリミティブ４０１は、複数の下位層リンクの挙動（behavior）を制御しようとする場合にＭＩＨユーザ３０４により呼び出される。このプリミティブ４０１は、ＭＩＨ機能３０２によるリンクアクション要求プリミティブ３０１をトリガし、その後、リンク層３０３における要求されたアクションの実行が続く。ＭＩＨアクション要求プリミティブ４０１のパラメータは、送信元識別子４５１、宛先識別子４５２、ハンドオーバモード４５３、新規リンク識別子（ｎ）４１１、旧リンク識別子（ｎ）４１２、リンクアクション（ｎ）４１３、実行時間（ｎ）４１４、およびリンク識別子（ｎ）４１５のうちの１つまたは複数を、単独で、または組み合わせて備える。図４に示されているようなパラメータのシーケンスは、一例にすぎず、他の変更形態も使用可能である。
【００２８】
ＭＩＨユーザ３０４は、１つまたは複数のリンクで特定のアクションを指令するために、ＭＩＨリンクアクション要求プリミティブ４０１を生成する。ＭＩＨリンクアクションコマンドを受け取った後、ＭＩＨ機能３０２は、リンクアクション４１３パラメータを使用し、好ましくはリンク識別子（ｎ）４１５を使用してＭＩＨユーザ３０４により指定されたリンク上でアクションを実行するように該当するリンク層技術に指令することができる。リンクアクション（ｎ）４１３パラメータを使用して、実行する必要のあるアクションに信号を伝える。ＭＩＨ機能３０２機能は、実行時間（ｎ）４１４パラメータにより指定された時間遅延の経過後にアクションを実行する。送信元識別子４５１パラメータは、リモートのＭＩＨユーザエンティティが要求を行った場合に対し特に有用な、要求が生じたエンティティを識別する。宛先識別子４５２パラメータは、ローカルのＭＩＨ機能またはリモートのＭＩＨ機能としてよい、要求または応答の宛先ＭＩＨ機能を識別する。ハンドオーバモード４５３パラメータは、旧リンク識別子（ｎ）４１１および新規リンク識別子（ｎ）４１２のそれぞれのパラメータにより識別される、旧リンクから新規リンクへのハンドオーバのメークビフォアブレーク（make-before-break）またはブレークビフォアメーク（break-before-make）のシーケンスを指定する。リンク識別子（ｎ）４１５パラメータは、リンクタイプ、ＭＡＣアドレス、および／またはＭＡＣ  ＰｏＡ（Point Of Attachment：接続ポイント）アドレスを示す。実行時間（ｎ）４１４パラメータは、リンク上で要求されたアクションを実行することに関して要求された時間遅延を示す。このパラメータで時間遅延を０に指定すると、リンクアクションコマンドを受け取った後にアクションを実行することを要求することができる。
【００２９】
表３は、ＭＩＨリンクアクション要求プリミティブ４０１に含まれうるパラメータをまとめたものであり、またリンクアクション（ｎ）４１３パラメータに含まれうる可能なリンクアクションを識別する。
【００３０】
【表４】
2010504066.tif 000006
【００３１】
図４は、ＭＩＨリンクアクション要求４０１の下位層３０３でリンクコマンド実行結果を報告するためにＭＩＨ機能３０２により使用されるＭＩＨリンクアクション確認プリミティブ４３１を示している。ＭＩＨリンクアクション確認プリミティブ４３１は、送信元識別子４３２パラメータ、結果コード４３３パラメータ、およびオプションのスキャン応答セット４３４パラメータを備える。ＭＩＨリンクアクション確認プリミティブ４３１は、下位リンク層からリンクアクションコマンド３０１の実行結果をＭＩＨ機能３０２が受け取るときに生成される。実行結果は、リンクアクション確認プリミティブ３３１を介してＭＩＨ機能３０２に報告され、次いで、ＭＩＨリンクアクション確認プリミティブ４３１をトリガすることをすでに述べている。ＭＩＨリンクアクション確認プリミティブ４３１を受け取った後、ＭＩＨユーザ３０４は、必要な評価を行う。
【００３２】
送信元識別子４３２パラメータは、ＭＩＨ要求プリミティブ４０１を呼び出したＭＩＨ機能を識別する。結果コード４３３パラメータは、実行の成功、実行の失敗、または実行の拒否の表示（indication）など、要求された下位リンク層アクションの試行の結果を示す。ＭＩＨリンクアクション要求プリミティブ３０１により指定されたアクションが、タイプLINK_SCANであった場合、オプションのスキャン応答セット４３４パラメータのフィールドは、ＭＩＨリンクアクション確認応答４３１に含まれるものとする。
【００３３】
表４は、ＭＩＨリンクアクション確認プリミティブ４３１のパラメータをまとめたものである。
【００３４】
【表５】
2010504066.tif 000007
【００３５】
実施形態
１．モバイルユーザの異種メディア間ハンドオーバ（ＭＩＨ）に関係する下位層リンクの挙動を制御するための方法であって、
異種無線アクセス技術（ＲＡＴ）ネットワークに一組の下位層リンク上でアクションを実行することを要求する、ＭＩＨユーザエンティティからＭＩＨ機能（ＭＩＨＦ）へのＭＩＨリンクアクション要求プリミティブを送信することを含む方法。
【００３６】
２．ＭＩＨリンクアクション要求プリミティブは、ＭＩＨユーザエンティティにより要求されたアクションを識別するリンクアクションパラメータを備えることを特徴とする実施形態１に記載の方法。
【００３７】
３．下位層リンクは、シャットダウンすること、アクティブ状態を保つこと、スキャンを実行すること、または起動してアクティブ状態になりスタンバイモードを保つことのうちの少なくとも１つによる動作を行うように指令されることを特徴とする実施形態１〜２のいずれかに記載の方法。
【００３８】
４．リンクアクションパラメータは、
リンク切断と、
リンク低電力消費調節と、
リンク電源切断と、
リンク無アクションと、
リンクが効率的に再接続を行えるようにリソースを保持しながらリンクを切断するリンクリソース保持アクションと、
データ転送要求と、
バイキャスティング要求と、
ハンドオーバキャンセルと、
電源投入と、
スタンバイアクション維持と
のうちの少なくとも１つを示すことを特徴とする実施形態１〜３のいずれかに記載の方法。
【００３９】
５．ＭＩＨリンクアクション要求プリミティブは、要求されたアクションが実行されるまでに経過する時間の長さを示す実行時間パラメータを備えることを特徴とする実施形態１〜４のいずれかに記載の方法。
【００４０】
６．ＭＩＨリンクアクション要求プリミティブは、ＭＩＨリンクアクション要求プリミティブを受け取るべきＭＩＨ機能を識別する宛先識別子パラメータを備えることを特徴とする実施形態１〜５のいずれかに記載の方法。
【００４１】
７．ＭＩＨユーザエンティティは、モバイルユーザの上位層機能を制御し、ＭＩＨ機能は、モバイルユーザのローカル機能であることを特徴とする実施形態１〜６のいずれかに記載の方法。
【００４２】
８．下位層リンク上で実行されるべきアクションを実行するためにＭＩＨ機能がリンクアクション要求プリミティブを下位層エンティティに送信することをさらに含むことを特徴とする実施形態１〜７のいずれかに記載の方法。
【００４３】
９．リンクアクション要求プリミティブは、ＭＩＨユーザエンティティにより要求されたアクションを指定するリンクアクションパラメータを備えることを特徴とする実施形態８に記載の方法。
【００４４】
１０．リンクアクション要求プリミティブは、要求されたアクションが実行されるまでに経過する時間の長さを示す実行時間パラメータを備えることを特徴とする実施形態８〜９のいずれかに記載の方法。
【００４５】
１１．ＭＩＨリンクアクション要求プリミティブは、さらに、要求されたアクションが実行される下位層リンクを識別するためのリンク識別子パラメータを備えることを特徴とする実施形態１〜１０のいずれかに記載の方法。
【００４６】
１２．ＭＩＨリンクアクション要求プリミティブで指定されたアクションは、リンク接続に関係する標準化機構により指定された手順に従って実行されることを特徴とする実施形態１〜１１のいずれかに記載の方法。
【００４７】
１３．さらに、ＭＩＨリンクアクション確認プリミティブを送信し、下位層リンク上で実行された要求されたアクションの結果の表示を提供することを含むことを特徴とする実施形態１〜１２のいずれかに記載の方法。
【００４８】
１４．ＭＩＨリンクアクション確認プリミティブは、リンクアクション要求プリミティブで指定されたあらゆるアクションの結果を示す結果コードパラメータを備えることを特徴とする実施形態１３に記載の方法。
【００４９】
１５．結果コードパラメータは、成功、失敗、および拒否のうちの１つを含む表示を提供することを特徴とする実施形態１３〜１４のいずれかに記載の方法。
【００５０】
１６．失敗表示は、さらに、使用不可能なリソースまたは使用中のリソースであることを示す表示を含むことを特徴とする実施形態１５に記載の方法。
【００５１】
１７．ＭＩＨリンクアクション確認プリミティブは、リンクに対する検出されたＰｏＡ（Point Of Attachment）を識別するスキャン応答セットパラメータを備えることを特徴とする実施形態１３〜１６のいずれかに記載の方法。
【００５２】
１８．無線送信／受信ユニット（ＷＴＲＵ）であって、
異種無線アクセス技術（ＲＡＴ）ネットワークに複数の組の下位層リンク上でアクションを要求するＭＩＨリンクアクション要求プリミティブを送信するように構成された異種メディア間ハンドオーバ（ＭＩＨ）ユーザエンティティと、
アクションの要求をＭＩＨユーザから下位層に転送するように構成されている異種メディア間ハンドオーバ機能（ＭＩＨ機能）と
を備えることを特徴とする無線送信／受信ユニット。
【００５３】
１９．ＭＩＨリンクアクション要求プリミティブは、ＭＩＨユーザエンティティにより要求されたアクションを識別するリンクアクションパラメータを備えることを特徴とする実施形態１８に記載の無線送信／受信ユニット。
【００５４】
２０．下位層リンクは、シャットダウンすること、アクティブ状態を保つこと、スキャンを実行すること、または起動してアクティブ状態になりスタンバイモードを保つことのうちの少なくとも１つで動作するように指令されることを特徴とする実施形態１８〜１９のいずれかに記載の無線送信／受信ユニット。
【００５５】
２１．リンクアクションパラメータは、
リンク切断と、
リンク低電力消費調節と、
リンク電源切断と、
リンク無アクションと、
リンクが効率的に再接続を行えるようにリソースを保持しながらリンクを切断するリンクリソース保持アクションと、
データ転送要求と、
バイキャスティング要求と、
ハンドオーバキャンセルと、
電源投入と、
スタンバイアクション維持と
のうちの少なくとも１つを示すことを特徴とする実施形態１９〜２０のいずれかに記載の無線送信／受信ユニット。
【００５６】
２２．ＭＩＨリンクアクション要求プリミティブは、要求されたアクションが実行されるまでに経過する時間の長さを示す実行時間パラメータを備えることを特徴とする実施形態１８〜２１のいずれかに記載の無線送信／受信ユニット。
【００５７】
２３．ＭＩＨリンクアクション要求プリミティブは、ＭＩＨリンクアクション要求プリミティブを受け取るべきＭＩＨ機能を識別する宛先識別子パラメータを備えることを特徴とする実施形態１８〜２２のいずれかに記載の無線送信／受信ユニット。
【００５８】
２４．ＭＩＨユーザエンティティは、モバイルユーザの上位層機能を制御し、ＭＩＨ機能は、モバイルユーザのローカル機能であることを特徴とする実施形態１８〜２３のいずれかに記載の無線送信／受信ユニット。
【００５９】
２５．さらに、下位層リンク上で実行されるべきアクションを実行するためにＭＩＨ機能がリンクアクション要求プリミティブを下位層エンティティに送信することを含むことを特徴とする実施形態１８〜２４のいずれかに記載の無線送信／受信ユニット。
【００６０】
２６．リンクアクション要求プリミティブは、ＭＩＨユーザエンティティにより要求されたアクションを指定するリンクアクションパラメータを備えることを特徴とする実施形態２５に記載の無線送信／受信ユニット。
【００６１】
２７．リンクアクション要求プリミティブは、要求されたアクションが実行されるまでに経過する時間の長さを示す実行時間パラメータを備えることを特徴とする実施形態２５〜２６のいずれかに記載の無線送信／受信ユニット。
【００６２】
２８．ＭＩＨリンクアクション要求プリミティブは、さらに、要求されたアクションが実行される下位層リンクを識別するためのリンク識別子パラメータを備えることを特徴とする実施形態１８〜２７のいずれかに記載の無線送信／受信ユニット。
【００６３】
２９．ＭＩＨリンクアクション要求プリミティブで指定されたアクションは、リンク接続に関係する標準化機構により指定された手順に従って実行されることを特徴とする実施形態１８〜２８のいずれかに記載の無線送信／受信ユニット。
【００６４】
３０．さらに、ＭＩＨリンクアクション確認プリミティブを送信し、下位層リンク上で実行された要求されたアクションの結果の表示を提供することを含むことを特徴とする実施形態１８〜２９のいずれかに記載の無線送信／受信ユニット。
【００６５】
３１．ＭＩＨリンクアクション確認プリミティブは、リンクアクション要求プリミティブで指定されたあらゆるアクションの結果を示す結果コードパラメータを備えることを特徴とする実施形態３０に記載の無線送信／受信ユニット。
【００６６】
３２．結果コードパラメータは、成功、失敗、および拒否のうちの１つを含む表示を提供することを特徴とする実施形態３０〜３１のいずれかに記載の無線送信／受信ユニット。
【００６７】
３３．失敗表示は、さらに、使用不可能なリソースまたは使用中のリソースであることを示す表示を含むことを特徴とする実施形態３２に記載の無線送信／受信ユニット。
【００６８】
３４．ＭＩＨリンクアクション確認プリミティブは、リンクに対する検出されたＰｏＡを識別するスキャン応答セットパラメータを備えることを特徴とする実施形態３０〜３３のいずれかに記載の無線送信／受信ユニット。
【００６９】
３５．実施形態１８〜３４のいずれかによる無線送信／受信ユニットとして適合されたモバイルユーザ。
【００７０】
３６．実施形態１８〜３４のいずれかによる無線送信／受信ユニットとして適合されたモバイル・ノード。
【００７１】
本実施形態の特徴および要素は、特定の組合せを用いて説明されているが、それぞれの特徴または要素は、好ましい実施形態の他の特徴および要素なしで単独で、または他の特徴および要素との様々な組合せで、または他の特徴および要素なしで使用することができる。説明されている方法は、汎用コンピュータまたはプロセッサにより実行できるようにコンピュータ可読記憶媒体内に明確に具現化されたコンピュータプログラム、ソフトウェア、またはファームウェアにより実装されうる。コンピュータ可読記憶媒体の実施例としては、ＲＯＭ（Read Only Memory）、ＲＡＭ（Random Access Memory）、レジスタ、キャッシュメモリ、半導体メモリデバイス、内蔵ハードディスクおよびリムーバブルディスクなどの磁気媒体、光磁気媒体、ならびにＣＤ−ＲＯＭディスクおよびデジタル多用途ディスク（ＤＶＤ）などの光学媒体がある。
【００７２】
好適なプロセッサとしては、例えば、汎用プロセッサ、専用プロセッサ、従来型のプロセッサ、ＤＳＰ（digital signal processor）、複数のマイクロプロセッサ、ＤＳＰコアとの関連性を持つ１つまたは複数のマイクロプロセッサ、コントローラ、マイクロコントローラ、特定用途向け集積回路（ＡＳＩＣ）、ＦＰＧＡ（Field Programmable Gate Arrays）回路、任意の他のタイプの集積回路（ＩＣ）および／または状態マシンがある。
【００７３】
ソフトウェアとの関連性を持つプロセッサは、無線送信／受信ユニット（ＷＴＲＵ）、ユーザ装置（ＵＥ）、端末、基地局、無線ネットワークコントローラ（ＲＮＣ）、または任意のホストコンピュータにおいて使用するための無線周波数トランシーバを実装するために使用できる。無線送信／受信ユニット（ＷＴＲＵ）は、カメラ、ビデオカメラモジュール、テレビ電話、スピーカーフォン、バイブレーションデバイス、スピーカー、マイク、テレビトランシーバ、ハンズフリーヘッドセット、キーボード、Ｂｌｕｅｔｏｏｔｈ（登録商標）モジュール、周波数変調（ＦＭ）無線ユニット、液晶ディスプレイ（ＬＣＤ）表示装置、有機発光ダイオード（ＯＬＥＤ）表示装置、デジタル音楽プレーヤ、メディアプレーヤ、ビデオゲーム機モジュール、インターネットブラウザ、および／または任意の無線ローカルエリアネットワーク（ＷＬＡＮ）モジュールなどの、ハードウェアおよび／またはソフトウェアで実装された、モジュール群と併せて使用できる。
【図１】
2010504066.tif 000008
【図２】
2010504066.tif 000009
【図３】
2010504066.tif 000010
【図４】
2010504066.tif 000011
【手続補正書】
【提出日】平成20年7月18日(2008.7.18)
【手続補正１】
【補正対象書類名】特許請求の範囲
【補正対象項目名】全文
【補正方法】変更
【補正の内容】
【特許請求の範囲】
【請求項１】
モバイルユーザの異種メディア間ハンドオーバ（ＭＩＨ）に関係する下位層リンクの挙動を制御するための方法であって、
前記方法は、
複数の下位層リンクのそれぞれがそれぞれの無線アクセス技術（ＲＡＴ）ネットワークに関連付けられている前記複数の下位層リンク上でアクションを実行することを要求する、ＭＩＨユーザエンティティからＭＩＨ機能（ＭＩＨＦ）へのＭＩＨリンクアクション要求プリミティブを送信するステップを含み、
前記ＭＩＨリンクアクション要求プリミティブは、前記複数の下位層リンクのそれぞれについて要求されたアクションを実行するそれぞれの時間を示す実行時間パラメータを含むことを特徴とする方法。
【請求項２】
前記ＭＩＨリンクアクション要求プリミティブは、前記ＭＩＨユーザエンティティにより要求された前記アクションを示す複数のリンクアクションパラメータを、前記複数の下位層リンク毎に１つずつさらに含むことを特徴とする請求項１に記載の方法。
【請求項３】
リンクアクションパラメータは、
リンク切断と、
リンク低電力消費調節と、
リンク電源切断と、
リンク無アクションと、
前記リンクが効率的に再接続を行えるように前記リソースを保持しながら前記リンクを切断するリンクリソース保持アクションと、
データ転送要求と、
バイキャスティング要求と、
ハンドオーバキャンセルと、
電源投入と、
スタンバイアクション維持と
のうちの少なくとも１つを示すことを特徴とする請求項２に記載の方法。
【請求項４】
前記ＭＩＨリンクアクション要求プリミティブは、前記ＭＩＨ機能を識別する宛先識別子パラメータをさらに含むことを特徴とする請求項１に記載の方法。
【請求項５】
前記ＭＩＨリンクアクション要求プリミティブは、前記複数の下位層のそれぞれについてリンク識別子パラメータをさらに含むことを特徴とする請求項１に記載の方法。
【請求項６】
下位層リンク上で実行された、要求されたアクションの結果を示すＭＩＨリンクアクション確認プリミティブを前記ＭＩＨユーザエンティティ側でＭＩＨ機能から受信するステップをさらに含むことを特徴とする請求項１に記載の方法。
【請求項７】
無線送信／受信ユニット（ＷＴＲＵ）であって、
それぞれの無線アクセス技術（ＲＡＴ）ネットワークに関連付けられている下位層リンクのアクションを要求するＭＩＨリンクアクション要求プリミティブを送信するように構成された異種メディア間ハンドオーバ（ＭＩＨ）ユーザエンティティと、
前記ＭＩＨユーザエンティティから受信した前記ＭＩＨリンクアクション要求プリミティブに対する応答として下位層リンクにリンクアクション要求プリミティブを送信するように構成された異種メディア間ハンドオーバ機能（ＭＩＨ機能）と
を備え、
前記ＭＩＨリンクアクション要求プリミティブは、前記複数の下位層リンクのそれぞれについて要求されたアクションを実行するそれぞれの時間を示す実行時間パラメータを含むことを特徴とする無線送信／受信ユニット。
【請求項８】
前記ＭＩＨリンクアクション要求プリミティブは、前記ＭＩＨユーザエンティティにより要求された前記アクションを示す複数のリンクアクションパラメータを、前記複数の下位層リンク毎に１つずつさらに含むことを特徴とする請求項７に記載の無線送信／受信ユニット。
【請求項９】
リンクアクションパラメータは、
リンク切断と、
リンク低電力消費調節と、
リンク電源切断と、
リンク無アクションと、
前記リンクが効率的に再接続を行えるように前記リソースを保持しながら前記リンクを切断するリンクリソース保持アクションと、
データ転送要求と、
バイキャスティング要求と、
ハンドオーバキャンセルと、
電源投入と、
スタンバイアクション維持と
のうちの少なくとも１つを示すことを特徴とする請求項８に記載の無線送信／受信ユニット。
【請求項１０】
前記ＭＩＨリンクアクション要求プリミティブは、前記ＭＩＨ機能を識別する宛先識別子パラメータをさらに含むことを特徴とする請求項７に記載の無線送信／受信ユニット。
【請求項１１】
前記ＭＩＨリンクアクション要求プリミティブは、前記複数の下位層リンクのそれぞれについてリンク識別子パラメータをさらに含むことを特徴とする請求項７に記載の無線送信／受信ユニット。
【請求項１２】
前記ＭＩＨ機能は、下位層リンク上で実行された、要求されたアクションの結果に対しＭＩＨリンクアクション確認プリミティブを送信するようにさらに構成されることを特徴とする請求項７に記載の無線送信／受信ユニット。
【請求項１３】
実行時間が０であることは、要求されたアクションが即座に実行されることを示すことを特徴とする請求項１に記載の方法。
【請求項１４】
実行時間が０であることは、要求されたアクションが即座に実行されることを示すことを特徴とする請求項７に記載の無線送信／受信ユニット。
【国際調査報告】
2010504066.tif 000012
2010504066.tif 000013
2010504066.tif 000014